(57)【要約】【課題】  本発明は、プラズマディスプレイパネル及びその駆動方法に関する。【解決手段】  本発明によれば、維持電極に下降電圧の印加及びフローティングを繰り返して、第１平均傾斜を有する下降パルス波形を印加し、維持電極に下降電圧の印加及びフローティングを繰り返して、前記第１平均傾斜より傾きの緩やかな第２平均傾斜を有する下降パルス波形を印加する。この時、第１及び第２傾きは、フローティング時間または下降電圧の幅を調整することによって制御される。本発明によれば、パネルキャパシタに充電または放電される電圧をフローティングさせることにより、簡単な駆動回路で多様な傾きを有するパルス波形を印加することができる。【選択図】    図５
2005107510.tif 000002
【特許請求の範囲】
【請求項１】
第１電極と第２電極との間に形成されるパネルキャパシタを含むプラズマディスプレイパネルを駆動する方法であって、
リセット区間において、
（ａ）前記第１電極に下降電圧の印加及びフローティングを繰り返して、第１平均傾斜を有する下降パルス波形を印加する段階；及び
（ｂ）前記第１電極に下降電圧の印加及びフローティングを繰り返して、前記第１平均傾斜より傾きの緩やかな第２平均傾斜を有する下降パルス波形を印加する段階；を含む、プラズマディスプレイパネルの駆動方法。
【請求項２】
前記第１及び第２平均傾斜は、フローティング区間を調整することによって制御される、請求項１に記載のプラズマディスプレイパネルの駆動方法。
【請求項３】
前記第１及び第２平均傾斜は、下降電圧の幅を調整することによって制御される、請求項１に記載のプラズマディスプレイパネルの駆動方法。
【請求項４】
第１平均傾斜を有する下降パルス波形が印加された後、前記第２平均傾斜を有する下降パルス波形が印加される、請求項１に記載のプラズマディスプレイパネルの駆動方法。
【請求項５】
第１電極と第２電極との間に形成されるパネルキャパシタを含むプラズマディスプレイパネルを駆動する方法であって、
リセット区間において、
（ａ）前記第１電極に上昇電圧の印加及びフローティングを繰り返して、第１平均傾斜を有する上昇パルス波形を印加する段階；及び
（ｂ）前記第１電極に上昇電圧の印加及びフローティングを繰り返して、前記第１平均傾斜より傾きの緩やかな第２平均傾斜を有する上昇パルス波形を印加する段階；を含む、プラズマディスプレイパネルの駆動方法。
【請求項６】
前記第１及び第２平均傾斜は、フローティング区間を調整することによって制御される、請求項５に記載のプラズマディスプレイパネルの駆動方法。
【請求項７】
前記第１及び第２平均傾斜は、上昇電圧の幅を調整することによって制御される、請求項５に記載のプラズマディスプレイパネルの駆動方法。
【請求項８】
リセット区間において、
（ｃ）前記第１電極に下降電圧の印加及びフローティングを繰り返して、第３平均傾斜を有する下降パルス波形を印加する段階；及び
（ｄ）前記第１電極に下降電圧の印加及びフローティングを繰り返して、前記第３平均傾斜より傾きの緩やかな第４平均傾斜を有する下降パルス波形を印加する段階；を追加的に含む、請求項５乃至７のうちのいずれかに記載のプラズマディスプレイパネルの駆動方法。
【請求項９】
第１電極及び第２電極；
前記第１電極と第２電極との間に形成されるパネルキャパシタ；及び
リセット区間の間に前記第１電極及び前記第２電極に駆動信号を送る駆動回路；を含み、
前記駆動回路は、
前記第１電極に下降電圧の印加及びフローティングを繰り返して、第１平均傾斜を有する下降パルス波形を印加し、前記第１電極に下降電圧の印加及びフローティングを繰り返して、前記第１平均傾斜より傾きの緩やかな第２平均傾斜を有する下降パルス波形を印加する、プラズマディスプレイパネル。
【請求項１０】
前記駆動回路は、フローティング区間を調整することによって前記第１及び第２平均傾斜を制御する、請求項９に記載のプラズマディスプレイパネル。
【請求項１１】
前記駆動回路は、
電流源、及び前記電流源と前記第１電極との間にカップリングされるスイッチを含む、請求項９に記載のプラズマディスプレイパネル。
【請求項１２】
前記駆動回路は、下降電圧の幅を調整することによって第１及び第２平均傾斜を制御する、請求項９に記載のプラズマディスプレイパネル。
【請求項１３】
前記パネルキャパシタに第１主端子が電気的に連結されるトランジスタ、
前記トランジスタの第２主端子に第１端が電気的に連結されるキャパシタ、及び
前記トランジスタの制御端子に制御電圧を供給する制御電圧供給源を含み、
前記キャパシタの第１端の電圧によって前記トランジスタの状態が決定される、請求項１２に記載のプラズマディスプレイパネル。
【請求項１４】
第１端が前記キャパシタの第１端に電気的に連結される放電経路をさらに含み、
前記放電経路の第２端の電圧が前記キャパシタの第１端の電圧より低くなる放電期間を有する、請求項１３に記載のプラズマディスプレイパネル。
【請求項１５】
前記放電経路は、前記キャパシタの第１端と前記放電経路の第２端との間に順方向に連結されるダイオードをさらに含む、請求項１４に記載のプラズマディスプレイパネル。
【請求項１６】
前記放電経路は可変抵抗をさらに含む、請求項１４または１５に記載のプラズマディスプレイパネル。
【請求項１７】
前記駆動回路は、可変抵抗値を調整することによって第１及び第２平均傾斜を制御する、請求項１６に記載のプラズマディスプレイパネル。
【請求項１８】
前記放電経路の第２端は、前記制御電圧供給源に電気的に連結される、請求項１４に記載のプラズマディスプレイパネル。
【請求項１９】
前記制御電圧は第１電圧と第２電圧とを交互に有し、
前記第１電圧は、前記放電経路に前記キャパシタが所定の量放電された場合に前記トランジスタをターンオンさせることができる電圧であり、
前記第２電圧は、前記放電期間における前記キャパシタの第１端の電圧より低い電圧である、請求項１８に記載のプラズマディスプレイパネル。
【請求項２０】
前記駆動回路は、前記第２電圧の区間を調整することによって第１及び第２平均傾斜を制御する、請求項１９に記載のプラズマディスプレイパネル。
【請求項２１】
前記パネルキャパシタと前記トランジスタの第１主端子との間に電気的に連結される抵抗またはインダクタをさらに含む、請求項１３に記載のプラズマディスプレイパネル。
【請求項２２】
第１電極及び第２電極；
前記第１電極と第２電極との間に形成されるパネルキャパシタ；及び
リセット区間の間に前記第１電極及び前記第２電極に駆動信号を送る駆動回路；を含み、
前記駆動回路は、
前記第１電極に上昇電圧の印加及びフローティングを繰り返して、第１平均傾斜を有する上昇パルス波形を印加し、前記第１電極に上昇電圧の印加及びフローティングを繰り返して、前記第１平均傾斜より傾きの緩やかな第２平均傾斜を有する上昇パルス波形を印加する、プラズマディスプレイパネル。
【請求項２３】
前記駆動回路は、
前記第１電極に下降電圧の印加及びフローティングを繰り返して、第３平均傾斜を有する下降パルス波形を印加し、前記第１電極に下降電圧の印加及びフローティングを繰り返して、前記第３平均傾斜より傾きの緩やかな第４平均傾斜を有する下降パルス波形を印加する、請求項２２に記載のプラズマディスプレイパネル。
【請求項２４】
前記駆動回路は、フローティング区間を調整することによって前記第１及び第２平均傾斜を制御する、請求項２２に記載のプラズマディスプレイパネル。
【請求項２５】
前記駆動回路は、上昇電圧の幅を調整することによって第１及び第２平均傾斜を制御する、請求項２２に記載のプラズマディスプレイパネル。
【請求項２６】
第１電極と第２電極との間に形成されるパネルキャパシタを含むプラズマディスプレイパネルを駆動する方法において、
リセット区間において、
電圧の印加及びフローティングを繰り返して、印加されるパルス波形の平均傾斜が少なくとも１回以上変わる、プラズマディスプレイパネルの駆動方法。
【発明の詳細な説明】
【技術分野】
【０００１】
本発明はプラズマディスプレイパネル及びその駆動方法に係り、特に、プラズマディスプレイパネルのリセット波形の駆動方法に関するものである。
【背景技術】
【０００２】
最近、液晶表示装置（ＬＣＤ）、電界放出表示装置（ＦＥＤ）、プラズマディスプレイパネル（ＰＤＰ）などの平面表示装置が活発に開発されている。これら平面表示装置の中のＰＤＰは、他の平面表示装置に比べて輝度及び発光効率が高く、視野角も広いという長所がある。したがって、ＰＤＰは、４０インチ以上の大型表示装置において従来のＣＲＴに代替される表示装置として脚光を浴びている。
【０００３】
ＰＤＰは、気体の放電によって生成されたプラズマを利用して文字または映像を表示する平面表示装置であって、その大きさによって数十から数百万個以上のピクセルがマトリックス形態に配列されている。このようなＰＤＰは、印加される駆動電圧波の形態と放電セルの構造とによって直流型（ＤＣ型）と交流型（ＡＣ型）とに区分される。
【０００４】
直流型ＰＤＰは、電極が放電空間にそのまま露出されていて、電圧が印加される間に電流が放電空間にそのまま流れるようになり、電流制限のための抵抗を形成しなければならない短所がある。反面、交流型ＰＤＰは、電極を誘電体層が覆っていて、自然なキャパシタンス成分の形成により電流が制限され、放電時にイオンの衝撃から電極が保護されるので、直流型ＰＤＰに比べて寿命が長いという長所がある。
【０００５】
図１は、ＡＣ型プラズマディスプレイパネルの一部斜視図である。
図１に示したように、第１基板１上には、誘電体層２及び保護膜３で覆われた走査電極４と維持電極５とが対をなして平行に設置される。第２基板６上には、絶縁体層７で覆われた複数のアドレス電極８が設置される。アドレス電極８の間にある絶縁体層７上には、アドレス電極８と平行に隔壁９が形成されている。また、絶縁体層７の表面及び隔壁９の両側面には蛍光体１０が形成されている。第１基板１と第２基板６とは、走査電極４とアドレス電極８、及び維持電極５とアドレス電極８が直交するように、放電空間１１を隔てて対向配置されている。アドレス電極８と対をなす走査電極４と維持電極５との交差部にある放電空間が、放電セル１２を形成する。
【０００６】
図２は、プラズマディスプレイパネルの電極配列図である。
図２に示したように、ＰＤＰの電極はｍ×ｎのマトリックス形態を有しており、具体的に、列方向にはアドレス電極（Ａ１〜Ａｍ）が配列されており、行方向にはｎ行の走査電極（Ｙ１〜Ｙｎ）及び維持電極（Ｘ１〜Ｘｎ）がジグザグに配列されている。以下では、走査電極を“Ｙ電極”、維持電極を“Ｘ電極”と称する。図２に示された放電セル１２は、図１に示された放電セル１２に対応する。
【０００７】
一般的なＰＤＰの駆動方法によると、一つのフレームを複数のサブフィールドに分けて駆動するが、この時、各サブフィールドは、リセット区間、アドレス区間、維持（サステイン）区間から構成される。
【０００８】
リセット区間（初期化区間）は、以前の維持放電の壁電荷状態を消去し、次のアドレス放電を安定的に行うために壁電荷をセットアップする役割を果たす。つまり、リセット区間は、続くアドレス区間のアドレス動作のために最適の壁電荷状態を作る役割を果たす。
【０００９】
アドレス区間は、パネルで点灯するセルと点灯しないセルとを選択して、点灯するセル（アドレシングされたセル）に壁電荷を蓄積する動作を行い、維持区間は、アドレシングされたセルに実際に画像を表示するための放電を行う。
【００１０】
従来は、リセット区間の駆動方法として、特許文献１（米国特許第５,７４５,０８６号）に記載されたようにランプ波形を印加した。つまり、リセット区間において、各電極の壁電荷を制御するために、Ｙ電極に緩やかに上昇または下降する上昇ランプまたは下降ランプ波形を印加した。しかし、このようなリセット方法によると、ランプ波形を緩やかに上昇または下降させるために、リセット区間が長くなるという短所がある。
【００１１】
前記特許文献１（米国特許第５,７４５,０８６号）に記載されたリセット波形を改善するためのランプリセット波形が、特許文献２（米国公開公報ＵＳ２００２/００７５２０６号）に開示されており、これを図３に示した。
【００１２】
図３に示したように、従来のランプリセット波形によると、上昇ランプ区間（または下降ランプ区間）が、傾きの急な区間（Ａ１またはＢ１）と傾きの緩やかな区間（Ａ２またはＢ２）との二つの区間からなる。
【００１３】
つまり、従来のリセット波形によると、プラズマ放電が起こらない初期区間では、傾きの急なランプ波形を印加してリセット時間を短縮させ、プラズマ放電が起こる後半区間では、傾きの緩やかなランプ波形を印加してリセット放電を安定的に制御する。
【００１４】
しかし、図３に示した従来のリセット波形を実現するためには、二つ以上の傾きを有する上昇ランプ波形（または下降ランプ波形）を印加しなければならないため、リセット駆動回路が複雑になり、費用が増加するという問題点がある。
【００１５】
【特許文献１】米国特許第５,７４５,０８６号
【特許文献２】米国公開公報ＵＳ２００２/００７５２０６号
【発明の開示】
【発明が解決しようとする課題】
【００１６】
本発明が目的とする技術的課題は、このような従来の技術の問題点を解決するためのものであって、簡単なリセット駆動回路でリセット波形を印加することにある。
【課題を解決するための手段】
【００１７】
前記目的を達成するための本発明の一つの特徴によるプラズマディスプレイパネルの駆動方法は、第１電極と第２電極との間に形成されるパネルキャパシタを含むプラズマディスプレイパネルを駆動する方法であって、リセット区間において、（ａ）前記第１電極に下降電圧の印加及びフローティングを繰り返して、第１平均傾斜を有する下降パルス波形を印加する段階；及び（ｂ）前記第１電極に下降電圧の印加及びフローティングを繰り返して、前記第１平均傾斜より傾きの緩やかな第２平均傾斜を有する下降パルス波形を印加する段階；を含む。
【００１８】
また、本発明の他の特徴によるプラズマディスプレイの駆動方法は、第１電極と第２電極との間に形成されるパネルキャパシタを含むプラズマディスプレイパネルを駆動する方法であって、リセット区間において、（ａ）前記第１電極に上昇電圧の印加及びフローティングを繰り返して、第１平均傾斜を有する上昇パルス波形を印加する段階；及び（ｂ）前記第１電極に上昇電圧の印加及びフローティングを繰り返して、前記第１平均傾斜より傾きの緩やかな第２平均傾斜を有する上昇パルス波形を印加する段階；を含む。
【００１９】
一方、本発明の一つの特徴によるプラズマディスプレイパネルは、第１電極及び第２電極；前記第１電極と第２電極との間に形成されるパネルキャパシタ；及びリセット区間の間に前記第１電極及び前記第２電極に駆動信号を送る駆動回路；を含み、前記駆動回路は、前記第１電極に下降電圧の印加及びフローティングを繰り返して、第１平均傾斜を有する下降パルス波形を印加し、前記第１電極に下降電圧の印加及びフローティングを繰り返して、前記第１平均傾斜より傾きの緩やかな第２平均傾斜を有する下降パルス波形を印加することを特徴とする。
【００２０】
一方、本発明の他の特徴によるプラズマディスプレイパネルは、第１電極及び第２電極；前記第１電極と第２電極との間に形成されるパネルキャパシタ；及びリセット区間の間に前記第１電極及び前記第２電極に駆動信号を送る駆動回路；を含み、前記駆動回路は、前記第１電極に上昇電圧の印加及びフローティングを繰り返して、第１平均傾斜を有する上昇パルス波形を印加し、前記第１電極に上昇電圧の印加及びフローティングを繰り返して、前記第１平均傾斜より傾きの緩やかな第２平均傾斜を有する上昇パルス波形を印加することを特徴とする。
【発明の効果】
【００２１】
本発明によれば、パネルキャパシタに充電または放電される電圧をフローティングさせることにより、簡単な駆動回路で多様な傾きを有するパルス波形を印加することができる。
【発明を実施するための最良の形態】
【００２２】
以下、添付した図面を参照して、本発明の実施例について、本発明が属する技術分野における通常の知識を有する者が容易に実施することができるように詳細に説明する。しかし、本発明は多様な相異した形態に実現することができ、ここで説明する実施例に限定されない。
【００２３】
図面においては、本発明を明確に説明するために、説明と関係のない部分は省略した。明細書全体を通じて類似した部分については同一な図面符号を付けた。ある部分が他の部分に連結されているとする時、それは直接的に連結されている場合のみだけでなく、その中間に他の素子を隔てて連結されている場合も含む。
【００２４】
次に、本発明の実施例によるプラズマディスプレイパネルの駆動装置及び駆動方法について、図面を参照して詳細に説明する。
図４は、本発明の実施例によるプラズマディスプレイパネルの概略的な図面である。
図４に示したように、本発明の実施例によるプラズマディスプレイパネルは、プラズマパネル１００、制御部２００、アドレス駆動部３００、維持電極駆動部（以下、‘Ｘ電極駆動部’とする）４００、及び走査電極駆動部（以下、‘Ｙ電極駆動部’とする）５００を含む。
【００２５】
プラズマパネル１００は、列方向に配列されている複数のアドレス電極（Ａ１−Ａｍ）、行方向に配列されている複数の維持電極（以下、‘Ｘ電極’とする）（Ｘ１−Ｘｎ）及び走査電極（以下、‘Ｙ電極’とする）（Ｙ１−Ｙｎ）を含む。Ｘ電極（Ｘ１−Ｘｎ）は各Ｙ電極（Ｙ１−Ｙｎ）に対応して形成され、一般的に、その一端が互いに共通に連結されている。
【００２６】
制御部２００は、外部から映像信号を受信して、アドレス駆動制御信号、Ｘ電極駆動制御信号、及びＹ電極駆動制御信号を出力する。そして制御部２００は、一つのフレームを複数のサブフィールドに分割して駆動し、各サブフィールドは、時間的な動作の変化で表現すれば、リセット期間、アドレス期間、維持（サステイン）期間からなる。
【００２７】
アドレス駆動部３００は、制御部２００からアドレス駆動制御信号を受信して、表示しようとする放電セルを選択するための表示データ信号を各アドレス電極（Ａ１−Ａｍ）に印加する。Ｘ電極駆動部４００は、制御部２００からＸ電極駆動制御信号を受信して、Ｘ電極（Ｘ１−Ｘｎ）に駆動電圧を印加し、Ｙ電極駆動部５００は、制御部２００からＹ電極駆動制御信号を受信して、Ｙ電極（Ｙ１−Ｙｎ）に駆動電圧を印加する。
【００２８】
図５は、本発明の実施例によってアドレス電極、Ｘ電極、及びＹ電極に印加される駆動波形を示す図である。図５に示した駆動波形は、説明の便宜上、一つのアドレス電極、Ｘ電極、及びＹ電極に印加される波形のみを示した。
【００２９】
図５を見れば、一つのサブフィールドは、リセット期間（Ｐｒ）、アドレス期間（Ｐａ）、及びサステイン期間（Ｐｓ）からなり、リセット期間（Ｐｒ）は、消去期間（Ｐｒ１）、上昇期間（Ｐｒ２）、及び下降期間（Ｐｒ３）を含む。
【００３０】
一般に、サステイン期間で最後のサステイン放電が完了すれば、Ｘ電極には（＋）電荷、Ｙ電極には（−）電荷が形成される。したがって、リセット期間（Ｐｒ）の消去期間（Ｐｒ１）においては、サステイン期間が終了した後に、Ｙ電極を基準電圧に維持した状態で、Ｘ電極に基準電圧からＶｅ電圧まで上昇するランプ波形を印加する。この時、本発明の実施例では基準電圧を０Ｖと仮定する。そうすると、Ｘ電極及びＹ電極に蓄積されていた電荷が徐々に消去される。
【００３１】
次に、リセット期間（Ｐｒ）の上昇期間（Ｐｒ２）においては、Ｘ電極を０Ｖに維持した状態で、Ｙ電極にＶｓ電圧からＶｓｅｔ電圧まで増加する上昇パルス波形（“上昇パルス波形”は、後述するように、上昇電圧の印加及びフローティングが繰り返される波形を意味する。）を印加する。この時、本発明の実施例によれば、プラズマ放電が起こらない初期区間には傾き（Ｃ１）の急な上昇パルス波形が印加され、プラズマ放電が起こる後半区間には傾き（Ｃ２）の緩やかな上昇パルス波形が印加される。（本発明で言及する“パルス波形の傾き”とは、パルス波形の平均的傾きを意味する。）
【００３２】
そして、各上昇パルスの傾きは、後述するように、フローティング時間または上昇電圧の幅を調整することによって制御されるが、これは簡単な回路で実現することができる。
【００３３】
このような上昇パルスが印加されると、Ｙ電極からアドレス電極及びＸ電極に各々微弱なリセット放電が起こって、Ｙ電極に（−）電荷が蓄積され、アドレス電極及びＸ電極に（＋）電荷が蓄積される。
【００３４】
そして、図５に示したように、リセット期間（Ｐｒ）の下降期間（Ｐｒ３）においては、Ｘ電極をＶｅ電圧に維持した状態で、Ｙ電極にＶｓ電圧から基準電圧まで下降する下降パルス波形（“下降パルス波形”は、後述するように、下降電圧の印加及びフローティングが繰り返される波形を意味する。）を印加する。この時、本発明の実施例によれば、プラズマ放電が起こらない初期区間には傾き（Ｄ１）の急な下降パルス波形が印加され、プラズマ放電が起こる後半区間部には傾き（Ｄ２）の緩やかな下降パルス波形が印加される。そして、各下降パルス区間の傾きは、後述するように、フローティング時間または下降電圧の幅を調整することによって制御することができる。
【００３５】
次に、図６Ａ、図６Ｂ、及び図７を参照して、本発明の第１実施例によるパルス波形の傾きを制御する方法を説明する。
図６Ａ及び図６Ｂは、図５に示した上昇パルス波形及び下降パルス波形を拡大した図であり、図７は、本発明の第１実施例によるパルス波形を印加する回路を概念的に示した図である。
【００３６】
図７において、一定の電流を流す電流源（Ｉ）がスイッチ（ＳＷ）を通じてパネルキャパシタ（Ｃｐ）に連結される。ここで、パネルキャパシタ（Ｃｐ）は、Ｙ電極及びＸ電極を等価的にモデリングしたものである。
【００３７】
図７において、スイッチがターンオンされる時にパネルキャパシタ（Ｃｐ）の一側電極に印加される電圧は下記数式１の通りである。
【００３８】
【数１】
2005107510.tif 000003
ここで、Ｃｘは、パネルキャパシタ（Ｃｐ）のキャパシタンスを示し、（＋）及び（−）符号は、電流源から供給される電流源の方向によって決定される。
【００３９】
数式１から分かるように、本発明の実施例によれば、所定の時間の間スイッチをターンオンさせて、Ｉ/Ｃｘの傾きで増加（または減少）するパルス波形をパネルキャパシタ（Ｃｐ）の第１電極（Ｙ電極）に印加し、所定の時間の間第１電極をフローティングさせる。
【００４０】
この時、本発明の第１実施例によれば、図６Ａに示したように、傾き（Ｃ１）の急な上昇パルス波形のフローティング区間（Δｔ１）を短く設定してから、傾き（Ｃ２）の緩やかな上昇パルス波形のフローティング区間（Δｔ２）を設定することによって、上昇パルス波形の傾きを制御する。また、図６Ｂに示したように、傾き（Ｄ１）の急な 下降パルス波形のフローティング区間（Δｔ３）を短く設定してから、傾き（Ｄ２）の緩やかな下降パルス波形のフローティング区間（Δｔ４）を設定することによって、下降パルス波形の傾きを制御する。
【００４１】
図６Ａ及び図６Ｂにおいて、上昇電圧の幅及び下降電圧の幅は全ての区間で同一であるのが、回路実現の側面から見ると好ましい。
図６Ａ及び図６Ｂによると、下降パルス波形及び上昇パルス波形の傾きが二つであることを例に挙げて説明したが、フローティング区間をさらに多く設定することによって、パルス波形の傾きをさらに多く設定することができる。
【００４２】
このように、本発明の実施例によれば、上昇電圧（下降電圧）の印加及びフローティングを繰り返し、フローティング区間を調節することによって、パルス波形の傾きを制御するので、リセット駆動回路が簡単であるという長所がある。
【００４３】
次に、図８Ａ及び図８Ｂを参照して、本発明の第２実施例によるパルス波形の傾きを制御する方法を説明する。
図８Ａ及び図８Ｂは、図５に示した上昇パルス波形及び下降パルス波形を拡大した図である。
【００４４】
この時、本発明の第２実施例によれば、図８Ａに示したように、傾き（Ｃ１）の急な上昇パルス波形の上昇電圧の幅（ΔＶ１）を大きく設定してから、傾き（Ｃ２）の緩やかな上昇パルス波形の上昇電圧の幅（ΔＶ２）を設定することによって、上昇パルス波形の傾きを制御する。また、図８Ｂに示したように、傾き（Ｄ１）の急な下降パルス波形の下降電圧の幅（ΔＶ３）を大きく設定してから、傾き（Ｄ２）の緩やかな下降パルス波形の下降電圧の幅（ΔＶ４）を設定することによって、下降パルス波形の傾きを制御する。
【００４５】
図８Ａ及び図８Ｂにおいて、フローティング区間は全ての区間で同一であるのが、回路実現の側面から見ると好ましい。
図８Ａ及び図８Ｂによると、下降パルス波形及び上昇パルス波形の傾きが二つであることを例に挙げて説明したが、下降電圧（または上昇電圧）の幅をさらに多く設定することによって、パルス波形の傾きをさらに多く設定することができる。
【００４６】
このように、本発明の実施例によれば、上昇電圧（または下降電圧）の印加及びフローティングを繰り返し、フローティング区間を調節することによって、パルス波形の傾きを制御するので、リセット駆動回路が簡単であるという長所がある。
【００４７】
本発明の第２実施例によるリセット波形を駆動する駆動回路について、図９乃至図１３を参照して説明する。このような駆動回路は、図４のＹ電極駆動部５００に形成されることができる。
【００４８】
図９は、図８Ｂに示したパルス波形を駆動するための駆動回路の一例であり、図１０は、図９の駆動回路による駆動波形図である。
図１１及び図１２は、図８Ｂに示したパルス波形を駆動するための駆動回路の他の例である。
【００４９】
図９のパネルキャパシタ（Ｃｐ）は、Ｙ電極とＸ電極との間に形成される容量性負荷であって、パネルキャパシタ（Ｃｐ）の第２端には接地電圧が印加されているとし、パネルキャパシタ（Ｃｐ）は一定量の電荷に充電されていると仮定する。
【００５０】
図９に示した駆動回路は、トランジスタ（ＳＷ）、キャパシタ（Ｃｄ）、抵抗（Ｒ１）、ダイオード（Ｄ１）（Ｄ２）、及び制御信号電圧源（Ｖｇ）を含む。トランジスタ（ＳＷ）のドレーンはパネルキャパシタ（Ｃｐ）の第１端に連結され、ソースがキャパシタ（Ｃｄ）の第１端に連結されている。キャパシタ（Ｃｄ）の第２端は接地端（Ｏ）に連結されている。制御信号電圧源（Ｖｇ）はトランジスタ（ＳＷ）のゲートと接地端（Ｏ）との間に連結されて、トランジスタ（ＳＷ）に制御信号（Ｓｇ）を供給する。
【００５１】
そして、ダイオード（Ｄ１）及び抵抗（Ｒ１）はキャパシタ（Ｃｄ）の第１端と制御信号電圧源（Ｖｇ）との間に連結されて、キャパシタ（Ｃｄ）が放電する放電経路を形成する。ダイオード（Ｄ２）は接地端（Ｏ）とトランジスタ（ＳＷ）のゲートとの間に連結されて、トランジスタ（ＳＷ）のゲート電圧をクランピングする。また、図示されてはいないが、制御信号電圧源（Ｖｇ）とトランジスタ（ＳＷ）との間には抵抗がさらに含まれることができ、トランジスタ（ＳＷ）のゲートと接地端（Ｏ）との間にも抵抗がさらに含まれることができる。
【００５２】
次に、図１０を参照して、図９の駆動回路の動作について詳細に説明する。
図１０に示したように、制御信号電圧源（Ｖｇ）から供給される制御信号（Ｓｇ）は、トランジスタ（ＳＷ）をターンオンさせるためのハイレべル電圧とトランジスタ（ＳＷ）をターンオフさせるためのローレベル電圧とを交互に有する。
【００５３】
まず、ハイレべルの制御信号（Ｓｇ）によってトランジスタ（ＳＷ）がターンオンされれば、パネルキャパシタ（Ｃｐ）に蓄積されていた電荷がキャパシタ（Ｃｄ）に移動する。キャパシタ（Ｃｄ）に電荷が蓄積されれば、キャパシタ（Ｃｄ）の第１端の電圧が上昇し、トランジスタ（ＳＷ）のソース電圧が上昇する。ところが、キャパシタ（Ｃｄ）の第２端を基準にする場合、トランジスタ（ＳＷ）のゲート電圧はトランジスタ（ＳＷ）をターンオンさせる時の電圧に維持されるが、キャパシタ（Ｃｄ）の第１端の電圧が上昇するため、トランジスタ（ＳＷ）のソース電圧が相対的に増加するようになる。この時、トランジスタ（ＳＷ）のソース電圧が一定の電圧まで上昇すると、トランジスタ（ＳＷ）のゲート／ソース電圧がトランジスタ（ＳＷ）の敷居電圧（Ｖｔ）より小さくなって、トランジスタ（ＳＷ）はターンオフされる。
【００５４】
つまり、制御信号のハイレべル電圧とトランジスタ（ＳＷ）のソース電圧との差がトランジスタ（ＳＷ）の敷居電圧（Ｖｔ）より小さくなった時に、トランジスタ（ＳＷ）がターンオフされる。このようにトランジスタ（ＳＷ）がターンオフされると、パネルキャパシタ（Ｃｐ）に供給される電圧が遮断されるので、パネルキャパシタ（Ｃｐ）はフローティング状態となる。そして、トランジスタ（Ｍ１）がターンオフされる場合にキャパシタ（Ｃｄ）に蓄積される電荷量（ΔＱｉ）は数式２の通りとなる。この時、キャパシタ（Ｃｄ）のキャパシタンス（Ｃｄ）を適切に設定すれば、パネルキャパシタ（Ｃｐ）の電圧が下降する期間（Ｔｒｉ）を制御信号（Ｓｇ）がハイレべルである期間（Ｔｏｎ）より短くすることができる。つまり、制御信号（Ｓｇ）のレベルを制御することにより、パネルキャパシタ（Ｃｐ）をフローティングさせるのより速くフローティングさせることができる。そして、制御信号（Ｓｇ）がローレベルになる場合にもトランジスタ（ＳＷ）は続けてターンオフされているので、フローティング期間（Ｔｆｉ）を下降電圧の印加期間（Ｔｒｉ）より長くすることができる。
【００５５】
【数２】
2005107510.tif 000004
ここで、Ｖｃｃは制御信号のハイレべル電圧であり、Ｖｔはトランジスタ（ＳＷ）の敷居電圧であり、Ｃｄはキャパシタ（Ｃｄ）のキャパシタンスである。
【００５６】
そして、キャパシタ（Ｃｄ）に蓄積された電荷量（ΔＱｉ）の分だけの電荷がパネルキャパシタ（Ｃｐ）から供給されたので、パネルキャパシタ（Ｃｐ）の電圧の減少量（ΔＶｐｉ）は数式３の通りである。
【００５７】
【数３】
2005107510.tif 000005
ここで、Ｃｐはパネルキャパシタ（Ｃｐ）のキャパシタンスである。
【００５８】
次に、制御信号がローレベルになると、キャパシタ（Ｃｄ）の第１端の電圧が制御信号電圧源（Ｖｇ）の電圧より高いため、キャパシタ（Ｃｄ）、ダイオード（Ｄ１）、抵抗（Ｒ１）、及び制御信号電圧源（Ｖｇ）の経路を通じてキャパシタ（Ｃｄ）は放電する。この時、キャパシタ（Ｃｄ）は、（Ｖｃｃ−Ｖｔ）の電圧が充電された状態で放電するようになるので、放電によってキャパシタ（Ｃｄ）の電圧が減少する量（ΔＶｄ）は数式４の通りである。
【００５９】
【数４】
2005107510.tif 000006
ここで、Ｒ１は抵抗（Ｒ１）の抵抗値である。
【００６０】
そして、キャパシタ（Ｃｄ）から放電される電荷量（ΔＱｄ）は、制御信号がローレベルに維持される時間（Ｔｏｆｆ）にしたがって数式５の通りになり、キャパシタ（Ｃｄ）に残っている電荷量（Ｑｄ）は数式６の通りになる。
【００６１】
【数５】
2005107510.tif 000007
【００６２】
【数６】
2005107510.tif 000008
【００６３】
次に、制御信号が再びハイレべルになると、トランジスタ（ＳＷ）がターンオンされて、パネルキャパシタ（Ｃｐ）からキャパシタ（Ｃｄ）に電荷が移動する。前記のように、キャパシタ（Ｃｄ）にΔＱｉの分だけの電荷が蓄積されていればトランジスタ（ＳＷ）がターンオフされるので、パネルキャパシタ（Ｃｐ）からΔＱｄの分だけの電荷が再びキャパシタ（Ｃｄ）に移動すれば、トランジスタ（ＳＷ）はターンオフされる。したがって、パネルキャパシタ（Ｃｐ）で減少する電圧（ΔＶｐ）は数式７の通りになる。
【００６４】
【数７】
2005107510.tif 000009
【００６５】
前記のように、パネルキャパシタ（Ｃｐ）でΔＶｐの分だけの電圧が減少するとキャパシタ（Ｃｄ）の電圧が増加して、トランジスタ（ＳＷ）はターンオフされる。そして、制御信号（Ｓｇ）がローレベルになると、トランジスタ（ＳＷ）がターンオフされた状態でキャパシタ（Ｃｄ）は放電する。つまり、制御信号（Ｓｇ）のハイレべルに応答して、パネルキャパシタ（Ｃｐ）の電圧が下降する期間（Ｔｒ）と、キャパシタ（Ｃｄ）の電圧の上昇に応じてパネルキャパシタ（Ｃｐ）がフローティングされる期間（Ｔｆ）とが継続して繰り返されるようになる。したがって、電圧の下降とフローティングとが繰り返される下降パルス波形を電極に印加することができるようになる。
【００６６】
そして、数式７を見ると、パネルキャパシタ（Ｃｐ）で減少する電圧は抵抗（Ｒ１）と制御信号（Ｓｇ）のローレベル期間（Ｔｏｆｆ）とによって決定されるので、制御信号（Ｓｇ）のデューティまたは抵抗（Ｒ１）値を調節することによって、パネルキャパシタ（Ｃｐ）の電圧の減少量を調節することができる。つまり、抵抗（Ｒ１）やローレベル期間（Ｔｏｆｆ）を大きくすれば電圧の減少幅を大きくすることができるので、急な傾きを制御することができる。
【００６７】
図９に示した駆動回路は、数式７でローレベル期間（Ｔｏｆｆ）を設定して、下降パルスの傾きを調整するためのものである。具体的に、図９に示した駆動回路は、傾きの急な区間ではローレベル期間を長く設定し、傾きの緩やかな区間ではローレベル期間を短く設定する。
【００６８】
図９に示した駆動回路では、電圧の下降とフローティングとを繰り返すために制御信号電圧源（Ｖｇ）に連結される放電経路を形成したが、放電経路は、制御信号電圧源（Ｖｇ）に連結されずに他の経路に形成されることもできる。例えば、キャパシタ（Ｃｐ）の第１端と接地端との間にスイッチを連結して放電経路として用いることができる。このようにすれば、キャパシタ（Ｃｐ）を放電させる期間（Ｔｏｆｆ）にスイッチをターンオンすればよい。
【００６９】
図１１は、図８Ｂに示したパルス波形を駆動するための駆動回路の他の例である。
図１１に示した駆動回路のうち、図９に示した駆動回路と同一な要素については同一符号を付けた。図１１に示した駆動回路は、図９に示した駆動回路とほぼ同一であり、単に、抵抗（Ｒ１）に並列に連結された可変抵抗（Ｒ２）のみが異なる。
【００７０】
図１１に示した駆動回路において可変抵抗（Ｒ２）を追加した理由は、数式７に示された抵抗（Ｒ１）値を調整してパネルキャパシタ（Ｃｐ）の電圧の減少量を調節するためである。つまり、抵抗（Ｒ１）に並列に連結された可変抵抗（Ｒ２）の大きさを調節して、パネルキャパシタ（Ｃｐ）の電圧の減少量を調節することもできる。もちろん、可変抵抗（Ｒ２）を抵抗（Ｒ１）に並列に連結せずに、抵抗（Ｒ１）の代りに可変抵抗（Ｒ２）を連結することもできる。
【００７１】
図１２は、図８Ｂに示したパルス波形を駆動するための駆動回路の他の例である。
図１２に示した駆動回路のうち、図９に示した駆動回路と同一な要素については同一符号を付けた。図１２に示した駆動回路は、図９に示した駆動回路とほぼ同一であり、単に、トランジスタ（ＳＷ）とパネルキャパシタ（Ｃｐ）との間に抵抗（Ｒ３）が連結されたことのみが異なる。
【００７２】
この時、抵抗（Ｒ３）は、パネルキャパシタ（Ｃｐ）から放電される電流の大きさを制限するためのものであって、抵抗（Ｒ３）の代りに電流の大きさを制限することができる他の素子、例えばインダクタ（図示せず）を用いることもできる。
【００７３】
図１３は、図８Ａに示した波形を駆動するための駆動回路の一例を示した図である。図１３に示した駆動回路は、図９に示した駆動回路とほぼ同一であり、単に、キャパシタ（Ｃｄ）の端子が接地電圧ではないパネルキャパシタ（Ｃｐ）に連結され、トランジスタ（Ｓ３）のドレーンに電圧（Ｖｓｅｔ）が連結されたことのみが異なる。そして、図１３に示した駆動回路の動作は、先に図９及び図１０を通じて説明した内容から当業者が容易に理解することができるので、重複した説明は省略する。
【００７４】
以上で本発明の好ましい実施例について詳細に説明したが、本発明の権利範囲はこれに限定されず、本発明の請求の範囲で定義している本発明の基本概念を利用した当業者の様々な変形及び改良形態もまた本発明の権利範囲に属する。
【図面の簡単な説明】
【００７５】
【図１】プラズマディスプレイパネルの一部斜視図である。
【図２】プラズマディスプレイパネルの電極配列図である。
【図３】従来のリセット波形を示す図である。
【図４】本発明の実施例によるプラズマディスプレイパネルの概略図である。
【図５】本発明の実施例による駆動波形を示す図である。
【図６Ａ】本発明の第１実施例によるリセット波形を示す図である。
【図６Ｂ】本発明の第１実施例によるリセット波形を示す図である。
【図７】本発明の第１実施例によるリセット波形を駆動するための回路図である。
【図８Ａ】本発明の第２実施例によるリセット波形を示す図である。
【図８Ｂ】本発明の第２実施例によるリセット波形を示す図である。
【図９】本発明の第２実施例によるリセット波形を駆動するための回路図である。
【図１０】本発明の第２実施例によるリセット波形を駆動するための回路図である。
【図１１】本発明の第２実施例によるリセット波形を駆動するための回路図である。
【図１２】本発明の第２実施例によるリセット波形を駆動するための回路図である。
【図１３】本発明の第２実施例によるリセット波形を駆動するための回路図である。
【符号の説明】
【００７６】
１００  プラズマパネル
２００  制御部
３００  アドレス駆動部
４００  維持電極駆動部
５００  走査電極駆動部
【図１】
2005107510.tif 000010
【図２】
2005107510.tif 000011
【図３】
2005107510.tif 000012
【図４】
2005107510.tif 000013
【図５】
2005107510.tif 000014
【図６Ａ】
2005107510.tif 000015
【図６Ｂ】
2005107510.tif 000016
【図７】
2005107510.tif 000017
【図８Ａ】
2005107510.tif 000018
【図８Ｂ】
2005107510.tif 000019
【図９】
2005107510.tif 000020
【図１０】
2005107510.tif 000021
【図１１】
2005107510.tif 000022
【図１２】
2005107510.tif 000023
【図１３】
2005107510.tif 000024